(57)【要約】【課題】電気掃除機の吸込具のアジテータに絡みついた物を安定して除去できる電気掃除機スタンドを提供する。【解決手段】この発明に係る電気掃除機スタンドは、電気掃除機（１）を直立した状態で支持するための支柱部（２２）と、支柱部を支持する台座部（２１）と、上側に電気掃除機の吸込具（６）が載置されるための載置部（２３）と、載置部に設けられ吸込具の底面に形成された開口に臨んで設けられたアジテータ（３０）を吸込具の底面側から清掃する清掃手段（５１）と、載置部に載置された吸込具が載置部から離れる方向へと移動することを規制する移動規制手段（５０）と、を備える。【選択図】図１６
2018134330.tif 000002
【特許請求の範囲】
【請求項１】
電気掃除機を直立した状態で支持するための支柱部と、
前記支柱部を支持する台座部と、
上側に前記電気掃除機の吸込具が載置されるための載置部と、
前記載置部に設けられ、前記吸込具の底面に形成された開口に臨んで設けられたアジテータを前記吸込具の前記底面側から清掃する清掃手段と、
前記載置部に載置された前記吸込具が、前記載置部から離れる方向へと移動することを規制する移動規制手段と、を備えた電気掃除機スタンド。
【請求項２】
前記移動規制手段は、前記載置部に載置された前記吸込具の上面の上方側に配置される請求項１に記載の電気掃除機スタンド。
【請求項３】
前記移動規制手段は、前記載置部に載置された前記吸込具の上面を全て覆って配置される請求項２に記載の電気掃除機スタンド。
【請求項４】
前記清掃手段は、上端が前記載置部の上面から上方に突出した突出位置と、上端が前記載置部の上面と同じ又は下方に配置される収納位置との間で移動可能に設けられる請求項１から請求項３のいずれか一項に記載の電気掃除機スタンド。
【請求項５】
前記支柱部が前記電気掃除機を支持した状態で、前記電気掃除機の二次電池を充電する充電手段を備え、
前記アジテータは、前記充電手段が前記二次電池を充電中で、かつ、前記吸込具の底面が前記載置部の上面に接触している場合に回転される請求項１から請求項４のいずれか一項に記載の電気掃除機スタンド。
【請求項６】
前記支柱部は、前記吸込具の前側が前記支柱部の方を向いた状態の前記電気掃除機を支持可能に設けられている請求項１から請求項５のいずれか一項に記載の電気掃除機スタンド。
【請求項７】
前記台座部に形成され、前記載置部の上面の塵埃を吸引可能な吸引部を備えた請求項１から請求項６のいずれか一項に記載の電気掃除機スタンド。
【請求項８】
前記支柱部は、掃除機本体と前記吸込具とをつなぐ延長管から前記支柱部が離間した状態で前記電気掃除機を支持可能に設けられている請求項１から請求項７のいずれか一項に記載の電気掃除機スタンド。
【請求項９】
前記支柱部は、掃除機本体と前記吸込具とをつなぐ延長管を用いずに前記掃除機本体と前記吸込具とを直接に接続した状態の前記電気掃除機を支持可能に設けられている請求項１から請求項７のいずれか一項に記載の電気掃除機スタンド。
【請求項１０】
請求項１から請求項９のいずれか一項に記載の電気掃除機スタンドと、
前記電気掃除機と、
前記吸込具の内部に設けられ導電性を有する繊維体と、を備え、
前記繊維体は、帯電時に前記アジテータの付着物に静電気力を及ぼし得る位置に固定された電気掃除機システム。
【請求項１１】
前記繊維体は、前記アジテータから離間して配置された請求項１０に記載の電気掃除機システム。
【請求項１２】
前記繊維体は、除電可能である請求項１０又は請求項１１に記載の電気掃除機システム。
【請求項１３】
前記繊維体は、前記アジテータの後方に配置された請求項１０から請求項１２のいずれか一項に記載の電気掃除機システム。
【請求項１４】
前記繊維体は、アクリル樹脂を含む請求項１０から請求項１３のいずれか一項に記載の電気掃除機システム。
【発明の詳細な説明】
【技術分野】
【０００１】
この発明は、電気掃除機スタンド及び電気掃除機システムに関するものである。
【背景技術】
【０００２】
掃除機のノズル（吸込具）のクリーニング装置（電気掃除機スタンド）においては、掃除機ノズルを受けるためのソケットと、ソケット内に配置され、掃除機ノズルの回転部材（アジテータ）に回転部材の回転中に絡みついた物を取り除くための少なくとも１つのクリーニング部材と、を備え、クリーニング部材がソケット内で下げられる休止位置と、クリーニング部材がソケットから上昇されて掃除機の回転部材と協働し、絡みついた物を取り除くクリーニング位置との間で旋回移動させるように構成されたものが知られている（例えば、特許文献１参照）。
【先行技術文献】
【特許文献】
【０００３】
【特許文献１】特表２０１５−５０６７６３号公報
【発明の概要】
【発明が解決しようとする課題】
【０００４】
しかしながら、特許文献１に示されるような電気掃除機スタンド及び電気掃除機システムは、ソケット上に置かれた吸込具に対して、吸込具の下側からクリーニング部材をアジテータに接触させてアジテータに絡みついた物を取り除くものである。このため、アジテータに絡みついた物を除去する際に、クリーニング部材により吸込具がソケットから上に持ち上げられてしまい、アジテータに絡みついた物を除去する性能が低下してしまうおそれがある。
【０００５】
この発明は、このような課題を解決するためになされたものである。その目的は、電気掃除機の吸込具のアジテータに絡みついた物を安定して除去できる電気掃除機スタンド及び電気掃除機システムを得ることにある。
【課題を解決するための手段】
【０００６】
この発明に係る電気掃除機スタンドは、電気掃除機を直立した状態で支持するための支柱部と、前記支柱部を支持する台座部と、上側に前記電気掃除機の吸込具が載置されるための載置部と、前記載置部に設けられ、前記吸込具の底面に形成された開口に臨んで設けられたアジテータを前記吸込具の前記底面側から清掃する清掃手段と、前記載置部に載置された前記吸込具が、前記載置部から離れる方向へと移動することを規制する移動規制手段と、を備える。
【０００７】
また、この発明に係る電気掃除機システムは、上述のように構成された電気掃除機スタンドと、前記電気掃除機と、前記吸込具の内部に設けられ導電性を有する繊維体と、を備え、前記繊維体は、帯電時に前記アジテータの付着物に静電気力を及ぼし得る位置に固定される。
【発明の効果】
【０００８】
この発明に係る電気掃除機スタンド及び電気掃除機システムにおいては、電気掃除機の吸込具のアジテータに絡みついた物を安定して除去できるという効果を奏する。
【図面の簡単な説明】
【０００９】
【図１】この発明の実施の形態１に係る電気掃除機の斜視図である。
【図２】この発明の実施の形態１に係る電気掃除機の前面図である。
【図３】この発明の実施の形態１に係る電気掃除機の側面図である。
【図４】この発明の実施の形態１に係る電気掃除機の後面図である。
【図５】この発明の実施の形態１に係る電気掃除機の上面図である。
【図６】図２に示す電気掃除機のＡ−Ａ断面図である。
【図７】この発明の実施の形態１に係る電気掃除機の使用時の状態を示す斜視図である。
【図８】この発明の実施の形態１に係る電気掃除機が備える吸込具の上方斜視図である。
【図９】この発明の実施の形態１に係る電気掃除機が備える吸込具の下方斜視図である。
【図１０】この発明の実施の形態１に係る電気掃除機が備える吸込具の模式的断面図である。
【図１１】この発明の実施の形態１に係る充電スタンドの斜視図である。
【図１２】この発明の実施の形態１に係る充電スタンドの前面図である。
【図１３】この発明の実施の形態１に係る充電スタンドの側面図である。
【図１４】この発明の実施の形態１に係る充電スタンドの後面図である。
【図１５】この発明の実施の形態１に係る充電スタンドの上面図である。
【図１６】この発明の実施の形態１に係る充電スタンドの要部を拡大して模式的に示す断面図である。
【図１７】この発明の実施の形態１に係る充電スタンドに吸込具を載置した状態の要部を拡大して模式的に示す断面図である。
【図１８】この発明の実施の形態１に係る電気掃除機システムの斜視図である。
【図１９】この発明の実施の形態１に係る電気掃除機システムの前面図である。
【図２０】この発明の実施の形態１に係る電気掃除機システムの側面図である。
【図２１】この発明の実施の形態１に係る電気掃除機システムの後面図である。
【図２２】この発明の実施の形態１に係る電気掃除機システムの上面図である。
【図２３】この発明の実施の形態２に係る電気掃除機の側面図である。
【図２４】この発明の実施の形態２に係る電気掃除機システムの側面図である。
【図２５】この発明の実施の形態２に係る充電スタンドの側面図である。
【図２６】この発明の実施の形態２に係る充電スタンドの斜視図である。
【図２７】この発明の実施の形態３に係る電気掃除機システムの側面図である。
【図２８】この発明の実施の形態３に係る電気掃除機システムの側面図である。
【図２９】この発明の実施の形態３に係る充電スタンドの側面図である。
【図３０】この発明の実施の形態４に係る充電スタンドの要部を拡大して模式的に示す断面図である。
【図３１】この発明の実施の形態４に係る充電スタンドの要部を拡大して模式的に示す断面図である。
【図３２】この発明の実施の形態５に係る電気掃除機が備える吸込具の模式的断面図である。
【発明を実施するための形態】
【００１０】
この発明を実施するための形態について添付の図面を参照しながら説明する。各図において、同一又は相当する部分には同一の符号を付して、重複する説明は適宜に簡略化又は省略する。なお、本発明は以下の実施の形態に限定されることなく、本発明の趣旨を逸脱しない範囲で種々変形することが可能である。
【００１１】
実施の形態１．
図１から図２２は、この発明の実施の形態１に係るもので、図１は電気掃除機の斜視図、図２は電気掃除機の前面図、図３は電気掃除機の側面図、図４は電気掃除機の後面図、図５は電気掃除機の上面図、図６は図２に示す電気掃除機のＡ−Ａ断面図、図７は電気掃除機の使用時の状態を示す斜視図、図８は電気掃除機が備える吸込具の上方斜視図、図９は電気掃除機が備える吸込具の下方斜視図、図１０は電気掃除機が備える吸込具の模式的断面図、図１１は充電スタンドの斜視図、図１２は充電スタンドの前面図、図１３は充電スタンドの側面図、図１４は充電スタンドの後面図、図１５は充電スタンドの上面図、図１６は充電スタンドの要部を拡大して模式的に示す断面図、図１７は充電スタンドに吸込具を載置した状態の要部を拡大して模式的に示す断面図、図１８は電気掃除機システムの斜視図、図１９は電気掃除機システムの前面図、図２０は電気掃除機システムの側面図、図２１は電気掃除機システムの後面図、図２２は電気掃除機システムの上面図である。
【００１２】
この発明の実施の形態１に係る電気掃除機システム１００は、電気掃除機１と充電スタンド２０とから構成されている。まず、図１から図７を参照して、電気掃除機１の構成について説明する。図１から図６は、電気掃除機１が直立した状態を示している。図１は、電気掃除機１の前面及び右側面を主に示している。図３は、電気掃除機１の右側面を示している。
【００１３】
電気掃除機１は、コードレスタイプの縦型電気掃除機である。図１から図４に示すように、電気掃除機１は、掃除機本体２、取っ手３、吸込管４、延長管５及び吸込具６を有している。吸込具６は、接続部６ａを有している。以下、電気掃除機１が直立した状態において、取っ手３に対して吸込管４が位置する方向を下方とする。
【００１４】
取っ手３及び吸込管４は、掃除機本体２の長手方向に沿って、掃除機本体２の前側に設けられている。取っ手３は、電気掃除機１を使用して清掃する際に使用者が持つためのものである。取っ手３の前面には、操作スイッチ７が設けられている。操作スイッチ７は、電気掃除機１の運転を制御するためのものである。吸込管４は、外観上は、取っ手３と連続するように形成されている。吸込管４の下端は、掃除機本体２の下端よりも下方に位置している。延長管５の一端は、吸込管４の下端に接続されている。延長管５の他端は、吸込具６の接続部６ａに接続されている。延長管５は、吸込管４及び吸込具６のそれぞれに対して着脱可能に形成されている。
【００１５】
延長管５は、例えば、矩形筒状を呈する直状の部材である。吸込管４は、例えば、延長管５と同様の矩形筒状を呈する。取っ手３の前面及び左右の側面は、延長管５と連続する形状に形成されている。つまり、取っ手３、吸込管４及び延長管５は、外観上は一定の幅で連続するように形成されている。図２及び図４に示すように、取っ手３、吸込管４及び延長管５は、前面視及び後面視において、掃除機本体２の左右方向における中央と重なるように配置されている。
【００１６】
吸込具６は、下向きに形成された図示しない開口から、例えば床面上のごみ及び塵埃を空気と一緒に吸い込むためのものである。図２及び図４に示すように、前面視及び後面視において、吸込具６の幅は、掃除機本体２の幅よりも大きい。また、図２及び図４に示すように、接続部６ａは、吸込具６の長手方向における中央に設けられている。
【００１７】
掃除機本体２は、内部に取り込んだ空気からごみ及び塵埃を分離し、ごみ及び塵埃が取り除かれた空気を排出するためのものである。掃除機本体２から排出された清浄空気は、例えば、室内に戻される。以下、ごみ及び塵埃を含む空気を「含塵空気」とも呼ぶ。また、ごみ及び塵埃が取り除かれた空気を「清浄空気」とも呼ぶ。
【００１８】
図１から図４に示すように、掃除機本体２は、収容ユニット８及び集塵ユニット９を備えている。収容ユニット８の前側には、取っ手３が設けられている。収容ユニット８の後側には、排気口１０が形成されている。収容ユニット８は、例えば、円筒形状を呈している。収容ユニット８は、例えば、成型品である。集塵ユニット９は、吸込管４の後側に配置されている。集塵ユニット９は、収容ユニット８の下方に配置されている。集塵ユニット９は、例えば、収容ユニット８と直径が等しい円筒形状を呈している。集塵ユニット９の軸は、収容ユニット８の軸と一致している。このため、集塵ユニット９の外周面は、収容ユニット８の外周面と連続した外観を呈している。つまり、掃除機本体２全体の外観は、例えば、円筒形状を呈している。
【００１９】
図３及び図４に示すように、吸込管４の後面には、受電部１１が設けられている。受電部１１は、電力の供給を受ける機能を有する。受電部１１は、例えば、収容ユニット８の内部と電気的に接続された端子である。
【００２０】
図５に示すように、吸込管４及び延長管５は、上方から見て取っ手３と重なる位置にある。また、図３に示すように、吸込管４及び延長管５は、掃除機本体２の前方に位置している。つまり、吸込管４及び延長管５の長手方向に沿った軸は、円筒形状を呈する掃除機本体２の軸からずれて配置されている。
【００２１】
このように形成された電気掃除機１は、図２及び図４に示すように、前面視及び後面視において左右対称の外観を呈する。一方、図３に示すように、電気掃除機１は、側面視において左右非対称の外観を呈する。
【００２２】
図６は、図２に示す電気掃除機１のＡ−Ａ断面図である。図６は、電気掃除機１の掃除機本体２周辺の垂直断面を示している。
【００２３】
図６に示すように、吸込管４の後面には、集塵ユニット９の内部に通じる接続口４ａが形成されている。つまり、吸込具６、延長管５及び吸込管４は、外部から掃除機本体２の内部に至る吸気風路を形成する。集塵ユニット９の内部は、集塵ユニット９の上部に形成された開口を介して収容ユニット８の内部に通じている。収容ユニット８の内部は、排気口１０を介して外部に通じている。つまり、収容ユニット８の内部には、集塵ユニット９から外部に至る排気風路１２が形成されている。
【００２４】
図６に示すように、収容ユニット８の内部には、電動送風機１３、二次電池１４及び回路基板１５が設けられている。電動送風機１３は、吸気風路及び排気風路１２に気流を発生させるためのものである。電動送風機１３は、二次電池１４と電気的に接続されている。電動送風機１３は、二次電池１４から電力を供給されることにより駆動する。回路基板１５は、二次電池１４から電動送風機１３への電力供給を制御する。二次電池１４は例えばリチウムイオンバッテリーからなる。
【００２５】
吸込管４の側壁の一部は、図示しないが、二重壁として形成されている。二重壁の間の空間には、図示しないリード線が設けられている。リード線は、受電部１１と二次電池１４とを電気的に接続している。
【００２６】
集塵ユニット９は、含塵空気からごみ及び塵埃を分離し、分離したごみ及び塵埃を一時的に溜めておくためのものである。集塵ユニット９は、内部で含塵空気を旋回させることにより、遠心力によってごみ及び塵埃を空気から分離する。つまり、集塵ユニット９は、サイクロン分離機能を有するサイクロン分離装置である。
【００２７】
電動送風機１３は、操作スイッチ７に対する操作に応じて駆動する。電動送風機１３が駆動すると、吸気風路に吸引力が作用し、吸込具６から含塵空気が吸い込まれる。吸込具６に吸い込まれた含塵空気は、延長管５及び吸込管４を通過して集塵ユニット９の内部に取り込まれる。集塵ユニット９では、含塵空気からごみ及び塵埃が分離される。集塵ユニット９から排出された清浄空気は、電動送風機１３を通過する。電動送風機１３を通過した清浄空気は、排気風路を進み、排気口１０から掃除機本体２の外部に排出される。
【００２８】
図７は、実施の形態１における電気掃除機１の使用時の状態を示す斜視図である。接続部６ａは、予め設定された角度範囲で、前後方向及び左右方向に沿って吸込具６に対して回転可能である。つまり、接続部６ａと接続されている延長管５は、吸込具６に対して、予め設定された角度範囲で傾けることが可能である。電気掃除機１の使用者は、例えば、取っ手３を持って掃除機本体２を傾けた状態で清掃を行う。
【００２９】
なお、図示しないが、電気掃除機１は、吸込具６及び延長管５を取り外して使用することが可能である。吸込管４の下端は、集塵ユニット９の下端よりも下方に位置しているため、電気掃除機１から吸込具６及び延長管５が取り外された場合、掃除機本体２よりも下方に突出した状態となる。この状態では、電気掃除機１は、ハンディ型掃除機として機能する。
【００３０】
次に、図８から図１０を参照しながら、電気掃除機１の吸込具６の構成について、さらに説明する。吸込具６は、下ケース４１と上ケース４２を組み合わせて外観が構成される。吸込具６の内部には、横長の風路を有する吸込室４４が設けられている。吸込室４４内にはアジテータ３０が回転自在に収納されている。アジテータ３０は、一端が軸受け３５に、他端がアジテータ保持部３６にそれぞれ軸支されている。
【００３１】
アジテータ３０は、吸込具６に内蔵された駆動手段であるモータ（又はタービン）によって回転駆動される。なお、そのモータは図９に示す部位４５に内蔵されている。モータの駆動力は、例えばベルトを介してアジテータ３０に伝達され、アジテータ３０を予め設定された方向に回転させる。吸込具６の底面には吸込室４４の底面開口４３が設けられている。アジテータ３０は、吸込具６の内部に、底面開口４３に臨んで設けられている。
【００３２】
吸込具６の前面側の下部には、比較的変形し易い軟質材（例えばエラストマー、塩化ビニール）を用いたバッファー部が形成されている。また、吸込具６の後面側には、図１に示す延長管５と接続される吸込口４７が設けられている。その吸込口４７は吸込室４４と連通している。
【００３３】
吸込具６の吸込口４７側の底部には、支持部材（図示せず）によって支持された車輪４８が設けられている。この支持部材は、吸込具６に回動自在に取り付けられている。また、この支持部材は、吸込具６が床面から浮いている状態においては車輪４８を床面側に突出した状態にし、そして、吸込具６が着床した状態においては車輪４８が吸込具６の内側に引っ込んだ状態にするように構成されている。
【００３４】
吸込具６には、車輪４８が引っ込んだときにオンするスイッチ（図示せず）が内蔵されている。このスイッチがオンすることにより、アジテータ３０は駆動可能な状態になる。操作スイッチ７の操作に応じて電動送風機１３が駆動した状態で、アジテータ３０は駆動する。
【００３５】
アジテータ３０は、筒状基体３１と、清掃体保持部３２と、清掃体３３とから構成されている。清掃体保持部３２は、筒状基体３１の外周面から突出し略全周を覆うように軸方向に螺旋状に巻かれている。清掃体３３は、清掃体保持部３２により保持され、清掃体保持部３２の先端部から突出している。清掃体３３として繊維質のブラシ毛を用いてもよいし、軟質材のブレード状のものでもよい。また、これらを混合したブラシ毛でもよい。清掃体保持部３２同士の間には、螺旋状の谷部３４が形成されている。
【００３６】
なお、清掃体保持部３２を筒状基体３１の内部にとりこみ、筒状基体３１の断面外形を円形にしてもよい。このように構成した場合には、筒状基体３１の外周面から清掃体３３が突出した状態となる。また、筒状基体３１の外周面に一体成型された清掃体保持部３２を軸方向に直線状に設けても良い。また、筒状基体３１の本数は４本とは限らず、少なくとも２本以上あれば何本でもよく、全周にわたって設けられていてもよい。
【００３７】
次に、吸込具６の動作を説明する。操作スイッチ７の操作により、電気掃除機１内の電動送風機１３が駆動すると、床面上の塵埃等が空気とともに吸込具６の吸込室４４内に吸引され、吸込具６の吸込口４７から延長管５を介して電気掃除機１内に吸引される。この時、アジテータ３０が回転し、アジテータ３０の回転によって掻き上げられた塵埃等も吸引される。
【００３８】
次に、図１１から図１７を参照しながら、この発明の実施の形態１に係る充電スタンド２０の構成について説明する。図１１は、充電スタンド２０の前面及び右側面を主に示している。図１３は、充電スタンド２０の右側面を示している。
【００３９】
充電スタンド２０は、電気掃除機１を直立した状態で載置するための電気掃除機スタンドである。図１１から図１５に示すように、充電スタンド２０は、台座部２１及び支柱部２２を有している。台座部２１は、載置部２３及び底上げ部２４を有している。台座部２１は、上面視において、例えば、正方形又は長方形を呈している。台座部２１は、前面視及び後面視における幅が吸込具６の長手方向の寸法と同一となるように形成されている。
【００４０】
載置部２３は、台座部２１の前部に形成されている。載置部２３の底部は、床面に接している。電気掃除機１が充電スタンド２０に載置された状態において、載置部２３の上面には、吸込具６が載置される。
【００４１】
底上げ部２４は、台座部２１の後部に形成されている。底上げ部２４は、載置部２３の後方に配置される。底上げ部２４の底部は、床面に接している。底上げ部２４の上面は、載置部２３の上面よりも高い位置に形成されている。電気掃除機１が充電スタンド２０に載置された状態において、底上げ部２４の前方には、吸込具６が配置される。このとき、吸込具６の上面及び底上げ部２４の上面は、同じ高さに位置する。つまり、台座部２１は、電気掃除機１が充電スタンド２０に載置された状態における吸込具６の上面の高さと底上げ部２４の上面の高さとが、一致するように形成されている。
【００４２】
支柱部２２は、台座部２１の上方に形成されている。支柱部２２は、底上げ部２４の上面から鉛直上向きに直立して形成されている。支柱部２２は、例えば、収容ユニット８及び集塵ユニット９と直径が等しい円筒形状を呈している。当該直径は、上面視における台座部２１の辺の長さよりも短い。円筒形状を呈する支柱部２２の軸は、鉛直方向に延びている。図１３及び図１５に示すように、支柱部２２の軸は、台座部２１の前後方向における中心よりも後方に位置している。図１２、図１４及び図１５に示すように、支柱部２２の軸は、台座部２１の左右方向における中心に位置している。つまり、支柱部２２は、前面視及び後面視において、充電スタンド２０の中央に位置している。
【００４３】
以上のように構成された支柱部２２は、電気掃除機１を直立した状態で支持するためのものである。また、台座部２１は、支柱部２２を支持している。そして、載置部２３は、上側に電気掃除機１の吸込具６が載置されるためのものである。
【００４４】
図１１、図１２及び図１５に示すように、支柱部２２の上端部には、給電部２５が設けられている。給電部２５は、支柱部２２の左右方向における中央に位置している。充電スタンド２０は、図示しない電源ケーブルを有している。給電部２５は、例えば、図示しないリード線により電源ケーブルと電気的に接続された端子である。電気掃除機１が充電スタンド２０に載置されると、受電部１１と給電部２５とが電気的に接続される。
【００４５】
図１１から図１３及び図１５から図１７に示すように、充電スタンド２０は、屋根部５０を備えている。屋根部５０の主要部分は、側面視で略Ｌ字状を呈する。すなわち、屋根部５０は、載置部２３の支柱部２２とは反対側の端部から上方に延びて設けられる第１の部分と、この第１の部分の上端部から支柱部２２の側へと延びて設けられる第２の部分とを備えている。
【００４６】
屋根部５０の特に前記第２の部分は、載置部２３に載置された吸込具６の上面の上方側に配置される。このため、載置部２３の上側に載置された吸込具６が、上方すなわち載置部２３から離れる方向に移動しようとすると、吸込具６が屋根部５０に当たり、その移動が妨げられる。すなわち、屋根部５０は、載置部２３に載置された吸込具６が載置部２３から離れる方向へと移動することを規制する移動規制手段を構成している。なお、屋根部５０の左右側面、すなわち前記第１の部分及び前記第２の部分の左右両端部分は、開放されていてもよいし、何らかの部材を設けて覆うようにしてもよい。
【００４７】
図１６及び図１７に示すように、充電スタンド２０は、アジテータ清掃部５１を備えている。アジテータ清掃部５１は、載置部２３の上面に設けられている。アジテータ清掃部５１は、後述するように、載置部２３に載置された吸込具６のアジテータ３０を、吸込具６の底面側から清掃する清掃手段である。アジテータ清掃部５１は、収納溝５２と鋭利な直線状の刃５３とを備えている。収納溝５２は、載置部２３の上面に形成された溝である。刃５３は、収納溝５２の内側に配置されている。収納溝５２及び刃５３は、吸込具６が載置部２３に適切に載置された際、載置部２３に載置された吸込具６の長手方向と平行になるように配置されている。
【００４８】
清掃手段の刃５３は、突出位置と収納位置との間で移動可能に設けられている。収納位置は、図１６に示すように、刃５３の上端が載置部２３の上面と同じ又は下方に配置される位置である。突出位置は、図１７に示すように、刃５３の上端が載置部２３の上面から上方に突出した位置である。
【００４９】
このように形成された充電スタンド２０は、図１２及び図１４に示すように、前面視及び後面視において左右対称の外観を呈する。一方、図１３に示すように、充電スタンド２０は、側面視において左右非対称の外観を呈する。
【００５０】
次に、図１６から図２０を参照しながら、充電スタンド２０に電気掃除機１を載置した状態の電気掃除機システム１００について説明する。図１８は、電気掃除機システム１００の前面及び右側面を主に示している。図２０は、電気掃除機システム１００の右側面を示している。
【００５１】
電源ケーブルが外部電源に接続され、電気掃除機１が充電スタンド２０に載置されることで、電気掃除機１に設けられた二次電池１４が充電される。以下、電気掃除機１が充電スタンド２０に載置されている状態を「充電状態」とも呼ぶ。この充電状態においては、受電部１１と給電部２５とが電気的に接続されている。すなわち、充電スタンド２０は、支柱部２２が電気掃除機１を支持した状態で電気掃除機１の二次電池１４を充電する充電手段を備えている。
【００５２】
充電状態において、支柱部２２の上には、電気掃除機１の掃除機本体２が位置する。充電状態において、支柱部２２の上面には、集塵ユニット９の底面が対向する。充電状態において、支柱部２２の軸は、掃除機本体２の軸と一致する。充電状態において、支柱部２２の外周面は、集塵ユニット９の外周面と連続した外観を呈する。つまり、充電状態において、収容ユニット８、集塵ユニット９及び支柱部２２を合わせたもの全体の外観は、例えば、円筒形状を呈する。
【００５３】
充電状態において、支柱部２２の前方には、取っ手３、吸込管４及び延長管５が位置する。このとき、前面視において、取っ手３、吸込管４及び延長管５は、支柱部２２の左右方向における中央と重なる。充電状態において、底上げ部２４の前方且つ載置部２３の上面には、吸込具６が載置される。充電状態において、吸込具６の上面の高さは、底上げ部２４の上面の高さと一致する。
【００５４】
前面視及び後面視における電気掃除機システム１００の輪郭は、前面視及び後面視における電気掃除機１の輪郭と充電スタンド２０の輪郭とを重ね合わせたものに相当する。上述したとおり、電気掃除機１及び充電スタンド２０は、それぞれ単体で、前面視及び後面視において左右対称の外観を呈する。このため、電気掃除機１と充電スタンド２０とを合わせた電気掃除機システム１００は、図１７及び図１９に示すように、前面視及び後面視において左右対称の外観を呈する。
【００５５】
側面視における電気掃除機システム１００の輪郭は、側面視における電気掃除機１の輪郭と充電スタンド２０の輪郭とを組み合わせたものに相当する。上述したとおり、電気掃除機１及び充電スタンド２０は、それぞれ単体では、側面視において左右対称の外観を呈さない。しかしながら、側面視において、電気掃除機システム１００の輪郭の前部と、電気掃除機システム１００の輪郭の後部とは、台座部２１の前後方向における中心を通る軸を対称軸として線対称な関係にある。
【００５６】
つまり、側面視において取っ手３、吸込管４、延長管５、吸込具６及び載置部２３で形成される前側の輪郭と、側面視において収容ユニット８、集塵ユニット９、支柱部２２及び底上げ部２４で形成される後側の輪郭とが、線対称な関係にある。このため、電気掃除機１と充電スタンド２０とを合わせた電気掃除機システム１００は、図１８に示すように、側面視において左右対称の外観を呈する。
【００５７】
実施の形態１において、直立して充電スタンド２０に載置されている状態の電気掃除機１は、単体では、側面視において左右非対称の外観を呈する。充電スタンド２０は、単体では、側面視において左右非対称の外観を呈する。電気掃除機１が充電スタンド２０に載置されている状態において、電気掃除機１と充電スタンド２０とを合わせたものは、側面視において左右対称の外観を呈する。このため、実施の形態１によれば、前面視だけでなく側面視においても、電気掃除機システム１００全体の一体性を向上させることができる。
【００５８】
実施の形態１において、掃除機本体２は、円筒形状に形成されている。支柱部２２は、台座部２１から直立し、掃除機本体２と直径が等しい円筒形状に形成されている。電気掃除機１は、掃除機本体２の軸と支柱部２２の軸とが一致し、且つ掃除機本体２の側壁と支柱部２２の側壁とが外観上連続するように充電スタンド２０に載置される。このため、実施の形態１によれば、電気掃除機システム１００全体の一体性をさらに向上させることができる。
【００５９】
実施の形態１では、収容ユニット８、集塵ユニット９及び支柱部２２の全てが鉛直方向の軸を持つ円筒形状に形成されている場合について示したが、電気掃除機システム１００の構成はこれに限らない。例えば、集塵ユニット９のみが水平方向の軸を持つ円筒形状に形成されている場合には、電気掃除機１が充電スタンド２０に載置された状態で集塵ユニット９を覆うように支柱部２２を形成することで、側面視における電気掃除機システム１００全体の左右対称性を確保してもよい。
【００６０】
実施の形態１において、電気掃除機１は、掃除機本体２、吸込具６及び吸込具６に接続され掃除機本体２の内部に通じる吸気風路を形成する延長管５を有している。また、電気掃除機１は、電動送風機１３と、電動送風機１３に電力を供給し、電気掃除機１が充電スタンド２０に載置されている状態で充電される二次電池１４と、を有している。充電スタンド２０は、台座部２１及び台座部２１の上方に形成された支柱部２２を有し、電気掃除機１が載置されるものである。電気掃除機１が充電スタンド２０に載置されている状態において、電気掃除機１と充電スタンド２０とを合わせたものは、水平方向から見て左右対称の外観を呈する。
【００６１】
このため、実施の形態１によれば、充電式の電気掃除機システム１００について、電気掃除機１が充電スタンド２０に載置された状態における全体の一体性を向上させることができる。従来、使用者は、充電状態での納まりが悪いことから、充電式の電気掃除機システム１００を物置又はクローゼット等の中に収納したり、寝室の隅又は家具の陰等に隠したりしていた。これに対して、実施の形態１における電気掃除機システム１００であれば、充電状態での納まりが大幅に向上するため、使用者が生活する主な空間であるリビング等に違和感なく置くことができる。これにより、ごみを見つけた場合にすぐ使用できるという充電式の電気掃除機システム１００の特長を十分に活かすことができる。その結果、使用者の利便性を向上させることができる。
【００６２】
以上のように構成された電気掃除機システム１００の電気掃除機１においては、前述したように、電気掃除機１の使用時にアジテータ３０が回転して塵埃等を掻き上げる。そして、アジテータ３０の回転により塵埃等が掻き上げられた際に、アジテータ３０に糸くずや繊維状のもの、髪の毛等が絡んで巻き付き、アジテータ３０を締め付ける。このような状態になった場合には、埃、綿埃などが清掃体３３の先端に付着して塊となり取れなくなることがある（以下、この状態を「絡みつき」ともいう）。
【００６３】
これに対し、以上のように構成された電気掃除機システム１００の充電スタンド２０は、アジテータ３０に絡みつきが発生した場合に、アジテータ３０への絡みつきを解消することができる。以下、この発明の実施の形態１に係る充電スタンド２０によるアジテータ３０への絡みつきの解消について説明する。
【００６４】
充電スタンド２０に電気掃除機１を載置していないとき、すなわち、充電状態でないときは、アジテータ清掃部５１は、図１６に示す収納位置にある。そして、充電状態のとき、すなわち、充電スタンド２０に電気掃除機１を載置し、受電部１１と給電部２５とが電気的に接続されると、アジテータ清掃部５１は、図１７に示す突出位置へと移動する。突出位置にあるアジテータ清掃部５１は、載置部２３に適切に載置された吸込具６のアジテータ３０と接触する。
【００６５】
充電スタンド２０に電気掃除機１が載置されると、より詳しくは、受電部１１と給電部２５とが電気的に接続され、かつ、載置部２３により吸込具６の車輪４８が押し込まれると、アジテータ３０は回転する。アジテータ３０がアジテータ清掃部５１の刃５３と接触した状態で回転すると、アジテータ３０に絡みついた埃等が刃５３により掻き落とされ、又は、切断、分解等されて、アジテータ３０から除去される。このようにして、清掃手段であるアジテータ清掃部５１は、載置部２３に載置された吸込具６のアジテータ３０を、吸込具６の底面側から清掃する。
【００６６】
なお、この際のアジテータ３０の回転は、電気掃除機１の操作スイッチ７のＯＮ／ＯＦＦの状態に関わらず行なわれる。したがって、アジテータ３０は、充電スタンド２０の充電手段が二次電池１４を充電中で、かつ、吸込具６の底面が載置部２３の上面に接触している場合に回転する。
【００６７】
アジテータ３０への絡みつきが発生すると、アジテータ３０が回転しにくくなる。その結果、吸込具６の自走力が低下し、操作性が悪化する。また、被清掃面の塵埃の除去能力も低下する。さらに、アジテータ３０への負荷が大きくなり、アジテータ３０及びアジテータ３０を駆動するモータの一方又は両方の寿命が短くなる。さらには、アジテータ３０の植毛が塑性変形することもある。
【００６８】
この発明の実施の形態１に係る電気掃除機システム１００及び充電スタンド２０においては、以上のように構成されたアジテータ清掃部５１を備えたことで、アジテータ３０への絡みつきを解消し、このような問題の発生を抑制することができる。つまり、電気掃除機１の高い操作性を維持でき、高い塵埃の除去性能を維持できる。また、植毛をはじめとするアジテータ３０及びモータの長寿命化を図ることもできる。
【００６９】
ここで、前述したように、アジテータ清掃部５１は、吸込具６の底面側からアジテータ３０に接触して清掃する。すなわち、吸込具６の下側から上方に向かってアジテータ清掃部５１が突出し、アジテータ３０に接触する。この状態でアジテータ３０が回転すると、アジテータ３０とアジテータ清掃部５１との間の抵抗により、アジテータ３０は、アジテータ清掃部５１から離れる方向、つまり上方へと移動しようとする。アジテータ３０がアジテータ清掃部５１から離れてしまうと、アジテータ清掃部５１によるアジテータ３０の絡みつきを除去する作用が低減してしまう。
【００７０】
この発明の実施の形態１に係る充電スタンド２０は、前述したように、移動規制手段としての屋根部５０を備えている。この屋根部５０により、載置部２３に載置された吸込具６の載置部２３から離れる方向への移動は規制される。したがって、アジテータ清掃部５１によるアジテータ３０の清掃時に、アジテータ３０及び吸込具６が、アジテータ清掃部５１から離れる方向へと移動することが抑制される。このため、アジテータ清掃部５１によるアジテータ３０の清掃時に、アジテータ清掃部５１とアジテータ３０とが適切に接触した状態を維持することができる。よって、安定したアジテータ３０の絡みつき除去効果を発揮でき、アジテータ３０の絡みつきを解消できる。
【００７１】
なお、以上の説明からも分かるように、屋根部５０の高さは、吸込具６が上方に移動しても突出位置のアジテータ清掃部５１がアジテータ３０との接触を維持できるように調整されている。つまり、載置部２３に載置された吸込具６の上面と屋根部５０との間には、隙間があってもかまわない。ただし、この隙間は、吸込具６の上面が屋根部５０に当たるまで吸込具６が上方に移動した際であっても、突出位置のアジテータ清掃部５１がアジテータ３０に接触し続けられる距離に設定される。
【００７２】
さらに、突出位置にあるアジテータ清掃部５１がアジテータ３０と接触する長さは、より長いほど、アジテータ３０の絡みつきを除去する能力は高くなる。ただし、アジテータ清掃部５１がアジテータ３０と接触する長さを長くすると、アジテータ３０の回転時に、アジテータ清掃部５１との抵抗が大きくなり、吸込具６が上方に移動しやすくなる。この発明の実施の形態によれば、載置部２３にある吸込具６の上方への移動は屋根部５０によって抑えられる。このため、必要なだけアジテータ清掃部５１がアジテータ３０と接触する長さを長くすることができ、アジテータ３０の絡みつきを除去する能力を容易に必要なだけ高めることが可能である。
【００７３】
なお、アジテータ清掃部５１は、例えば、以下の３つのアジテータ清掃条件のいずれかが成立した場合に作動するようにするとよい。
・載置部２３に吸込具６が載置されたことを検知したとき
・電気掃除機１が充電スタンド２０に設置され充電を開始する前
・電気掃除機１を動作させたまま充電スタンド２０に載せたとき
【００７４】
通常、電気掃除機１を使用し終わると、使用者は電気掃除機１を充電スタンド２０に載置する。このとき、前述のアジテータ清掃条件のいずれかが成立し、アジテータ清掃部５１がアジテータ３０の清掃を行うことで、使用者に何ら追加的な負担を強いることなく、定期的かつ自動的にアジテータ３０の絡みつきを解消することができる。また、定期的にアジテータ３０の清掃を行うことで、絡みつき発生後に時間が経過して絡みつきが強固になる前に対処することができるため、絡みつきを容易に解消でき、解消できない絡みつきが残ってしまうことを抑制可能である。さらに、電気掃除機１の二次電池１４として使用するリチウムイオンバッテリーは、使い切ってから充電するよりも、いわゆる継ぎ足し充電の方が電池の寿命によいと一般的にはいわれている。そこで、使用者は、より積極的に充電スタンド２０に設置するようになることが予想される。このことは、こまめにアジテータ３０の清掃を行うことにつながるため、なおのこと効果的である。
【００７５】
アジテータ清掃部５１は、アジテータ３０の絡みつき除去の開始後、一定時間が経過したら、アジテータ３０の絡みつき除去を自動的に終了するようにするとよい。アジテータ３０の絡みつき除去を終了したら、アジテータ清掃部５１は、図１６に示す収納位置に移動する。このようにすることで、アジテータ清掃部５１は、未使用時に載置部２３から突出していないため、使用者が誤って触ることを防止することができる。また、アジテータ清掃部５１の上方に屋根部５０があるため、使用者がアジテータ清掃部５１に接触する可能性をさらに低くできる。アジテータ清掃部５１によるアジテータ３０の絡みつき除去中に吸込具６が載置部２３から移動された場合、アジテータ清掃部５１によるアジテータ３０の絡みつき除去を即座に中止し、アジテータ清掃部５１を収納位置に移動させるようにするとなおよい。
【００７６】
また、アジテータ清掃部５１によるアジテータ３０の絡みつき除去時には、アジテータ３０を回転させると同時に、電気掃除機１の電動送風機１３も動作させるようにしてもよい。このようにすることで、アジテータ清掃部５１により載置部２３上又は吸込具６内に掻き落とされた塵埃等を、空気とともに電気掃除機１で吸引することができるため、載置部２３に塵埃が残らない。
【００７７】
この実施の形態１においては、電気掃除機１を上から下に下ろすようにして充電スタンド２０に載置する。したがって、吸込具６は、上方から屋根部５０と載置部２３との間にもぐり込ませるようにして、載置部２３に置かれる。この際、吸込具６を載置部２３と屋根部５０との間に入れやすくするため、屋根部５０の底上げ部２４側の先端と底上げ部２４との間には、十分な距離があけられている。また、屋根部５０の底上げ部２４側を、底上げ部２４側にいくほど徐々に高くなるようにしてもよい。このようにすることで吸込具６を載置部２３と屋根部５０との間に、より入れやすくすることができる。
【００７８】
実施の形態２．
図２３から図２６は、この発明の実施の形態２に係るもので、図２３は電気掃除機の側面図、図２４は電気掃除機システムの側面図、図２５は充電スタンドの側面図、図２６は充電スタンドの斜視図である。
【００７９】
前述した実施の形態１では、充電スタンド２０は、吸込具６の前側が支柱部２２とは反対側を向いた状態で電気掃除機１を支持するものであった。これに対し、ここで説明する実施の形態２は、実施の形態１とは逆に、充電スタンド２０は、吸込具６の前側が支柱部２２の方を向いた状態で電気掃除機１を支持するようにしたものである。以下、この実施の形態２に係る電気掃除機スタンド及び電気掃除機システムについて、実施の形態１との相違点を中心に説明する。
【００８０】
この実施の形態２に係る電気掃除機システム１００の電気掃除機１は、図２３に示すように、電気掃除機１を直立させた状態で、掃除機本体２の取っ手３、収容ユニット８及び集塵ユニット９が吸込具６の前側に配置されるように構成されている。換言すれば、電気掃除機１を直立させた状態で、吸込管４及び延長管５から見て吸込具６が突出する側と、吸込管４及び延長管５から見て取っ手３、収容ユニット８及び集塵ユニット９が配置される側とが、同じ側である（これに対し、実施の形態１では、図１、３等に示すように、電気掃除機１を直立させた状態で、掃除機本体２の取っ手３、収容ユニット８及び集塵ユニット９は、吸込具６の後側に配置される。換言すれば、実施の形態１では、電気掃除機１を直立させた状態で、吸込管４及び延長管５から見て吸込具６が突出する側と、吸込管４及び延長管５から見て取っ手３、収容ユニット８及び集塵ユニット９が配置される側とが、反対である）。
【００８１】
図２４に示すように、電気掃除機１を充電スタンド２０に載置する際、吸込管４及び延長管５から見て、吸込具６の前側、取っ手３、収容ユニット８及び集塵ユニット９が配置された側が、充電スタンド２０の支柱部２２の方へと向けられる。すなわち、充電スタンド２０の支柱部２２は、吸込具６の前側が支柱部２２の方を向いた状態の電気掃除機１を支持可能に設けられている。また、電気掃除機１を充電スタンド２０に載置した状態において、掃除機本体２と吸込具６とをつなぐ延長管５は、支柱部２２から離間している。
【００８２】
図２４から図２６に示すように、実施の形態２においては、屋根部５０の主要部分は、底上げ部２４の載置部２３側の端面における上端部から、載置部２３側へと延びて設けられている。この屋根部５０は、載置部２３に載置された吸込具６の上面の上方側に配置される。このため、載置部２３の上側に載置された吸込具６が、上方すなわち載置部２３から離れる方向に移動しようとすると、吸込具６が屋根部５０に当たり、その移動が妨げられる。すなわち、屋根部５０は、載置部２３に載置された吸込具６が載置部２３から離れる方向へと移動することを規制する移動規制手段を構成している。屋根部５０の左右側面は、開放されていてもよいし、何らかの部材を設けて覆うようにしてもよい。載置部２３の上面には、アジテータ清掃部５１が設けられている。
【００８３】
以上のように構成された充電スタンド２０を備えた電気掃除機システム１００においては、充電スタンド２０に電気掃除機１を載置する際、まず、吸込具６を載置部２３と屋根部５０との間に入れて、吸込具６を載置部２３の適切な位置に載置する。その後、掃除機本体２の集塵ユニット９を支柱部２２の上面に設置又は接触させて、支柱部２２で電気掃除機１を支持する。また、充電スタンド２０から電気掃除機１を取り外す際には、まず、集塵ユニット９を支柱部２２の上面から取り外した後、吸込具６を載置部２３から取り外す。
なお、他の構成については実施の形態１と同様であり、ここでは、その説明を省略する。
【００８４】
以上のように構成された電気掃除機スタンド（充電スタンド２０）及び電気掃除機システム１００においても、実施の形態１と同様の効果を奏することができる。さらに、吸込具６を載置部２３と屋根部５０との間に入れる際に、支柱部２２及び底上げ部２４の反対側から吸込具６を入れることができる。このため、載置部２３及び屋根部５０に対して水平方向に吸込具６を出し入れすることができ、充電スタンド２０への電気掃除機１の着脱を容易に行うことができる。
【００８５】
また、掃除機本体２を支柱部２２に置く前に吸込具６を載置部２３と屋根部５０との間に入れるため、使用者は、通常の電気掃除機１の使用時と同じように電気掃除機１の取っ手３を持った状態で吸込具６を載置部２３と屋根部５０との間に入れることができる。したがって、使用者は、容易に吸込具６を載置部２３に置くことが可能である。さらに、使用者は、まず取っ手３を持って充電スタンド２０から電気掃除機１を取り外すことができるので、すぐに掃除ができ、使用者の負担が少ない。
【００８６】
なお、屋根部５０が、載置部２３に載置された吸込具６の上面を全て覆って配置されるようにしてもよい。このようにすることで、充電スタンド２０に電気掃除機１をしまっている間に吸込具６の上面に埃等が溜まることを防止することができる。
【００８７】
実施の形態３．
図２７から図２９は、この発明の実施の形態３に係るもので、図２７及び図２８は電気掃除機システムの側面図、図２９は充電スタンドの側面図である。
【００８８】
ここで説明する実施の形態３は、前述した実施の形態１又は実施の形態２の構成において、充電スタンド２０は、延長管５を用いずに掃除機本体２と吸込具６とを直接に接続した状態の電気掃除機１を支持可能にしたものである。以下、この実施の形態３に係る電気掃除機スタンド及び電気掃除機システムについて、実施の形態１の構成を元にした場合を例に挙げ、実施の形態１との相違点を中心に説明する。
【００８９】
この発明の実施の形態３に係る電気掃除機システム１００の電気掃除機１は、吸込管４に吸込具６を接続することができるように構成されている。すなわち、掃除機本体２と吸込具６とをつなぐ延長管５を用いずに掃除機本体２と吸込具６とを直接に接続可能である。また、掃除機本体２と吸込具６とを直接に接続した状態でも、アジテータ３０を回転駆動させることが可能である。
【００９０】
そして、図２７及び図２８に示すように、充電スタンド２０の支柱部２２は、掃除機本体２と吸込具６とを直接に接続した状態の電気掃除機１を支持可能に設けられている。図２７に示すように、掃除機本体２の例えば集塵ユニット９には、延長管ホルダー６０が設けられている。延長管ホルダー６０は、使用しない延長管５を保持しておくことができる。
【００９１】
延長管ホルダー６０は、例えばＵ字型を呈している。延長管５には、このＵ字型の延長管ホルダー６０に対応した突起体が設けられている。そして、延長管５の突起体をＵ字型の延長管ホルダー６０に引っ掛けることで、延長管ホルダー６０で延長管５を保持できる。または、延長管ホルダー６０として、延長管５の一方の端部を引っ掛けることができるような構造を採用してもよい。
【００９２】
延長管ホルダー６０を掃除機本体２でなく、充電スタンド２０の支柱部２２に設けるようにしてもよい。また、底上げ部２４の上面部に使用しない延長管５を立てておけるようにしてもよい。
【００９３】
また、充電スタンド２０は、掃除機本体２と吸込具６との間に延長管５を接続した状態と、掃除機本体２と吸込具６とを直接に接続した状態の両方の電気掃除機１を支持できるようにしてもよい。この場合、掃除機本体２と吸込具６との間に延長管５を接続した状態の電気掃除機１を支持するための第１の支柱部と、掃除機本体２と吸込具６とを直接に接続した状態の電気掃除機１を支持するための第２の支柱部の、２つの支柱部２２を設けるようにしてもよい。または、１つの支柱部２２の長さを可変にしてもよい。支柱部２２の長さを可変にする場合、例えば、支柱部２２をテレスコピック構造とすること等が考えられる。
なお、他の構成については実施の形態１又は実施の形態２と同様であり、ここでは、その説明を省略する。
【００９４】
以上のように構成された電気掃除機スタンド（充電スタンド２０）及び電気掃除機システム１００においても、実施の形態１又は実施の形態２と同様の効果を奏することができる。さらに、延長管５を使用せずに掃除機本体２に直接に吸込具６を接続した状態でも使用可能とすることで、電気掃除機システム１００全体としての高さを抑えることができコンパクトになるため、景観を損ねない。また、延長管５をあまり使用せず、吸込具６と電気掃除機１を直接つないで掃除することが多い使用者にとっては、常に延長管５を接続しない状態で充電及びアジテータ３０の絡みつき解消を行うことができ、使用者の負担が少ない。
【００９５】
実施の形態４．
図３０及び図３１は、この発明の実施の形態４に係るもので、いずれも、充電スタンドの要部を拡大して模式的に示す断面図である。
【００９６】
ここで説明する実施の形態４は、前述した実施の形態１から実施の形態３の構成において、載置部２３の上面の塵埃を吸引可能な吸引部を充電スタンド２０の台座部２１に形成したものである。以下、この実施の形態４に係る電気掃除機スタンド及び電気掃除機システムについて、実施の形態１の構成を元にした場合と実施の形態２の構成を元にした場合とをそれぞれ例に挙げ、実施の形態１又は実施の形態２との相違点を中心に説明する。
【００９７】
図３０は、実施の形態１の構成を元にした場合の実施の形態４の構成例について説明する。図３１は、実施の形態２の構成を元にした場合の実施の形態４の構成例について説明する。これらの図に示すように、台座部２１には、スリット６３が形成されている。これらの図に示す例では、スリット６３は、底上げ部２４の載置部２３側の端面と、載置部２３の上面とに形成されている。スリット６３は、複数の細長い開口の集合である。
【００９８】
充電スタンド２０の内部には、空洞が形成されている。スリット６３を介して充電スタンド２０の外部と内部の空洞とが通じている。充電スタンド２０の内部には、図示しない送風機が設けられている。また、充電スタンド２０の内部には、図示しないフィルタも設けられている。充電スタンド２０の送風機が動作すると、スリット６３から充電スタンド２０の内部に空気が吸い込まれる。この際、載置部２３の上面の塵埃も空気とともにスリット６３から充電スタンド２０の内部に吸い込まれる。したがって、スリット６３は、台座部２１に形成され、載置部２３の上面の塵埃を吸引可能な吸引部である。
【００９９】
スリット６３から吸い込まれた塵埃を含む空気は、前述したフィルタを通過する。フィルタを通過する際、空気に含まれていた塵埃は漉し取られ、通過空気は清浄化される。そして、清浄化された空気は、充電スタンド２０の例えば支柱部２２等に形成された図示しない吹出口から、充電スタンド２０の外部へと戻される。すなわち、充電スタンド２０は、空気清浄機能を備えている。
【０１００】
充電スタンド２０の空気清浄機能は、載置部２３の上面の塵埃を吸引するときだけでなく、充電スタンド２０が設置されている部屋の空気の清浄にも利用することができる。充電状態の時に充電スタンド２０の空気清浄機能を働かせることで、電気掃除機１を充電している時に室内空間を清浄化することができる。これにより、清掃時でなくとも電気掃除機システム１００をリビング等に置いておく動機付けを使用者に与え、使用者の利便性を向上させることができる。
【０１０１】
なお、充電スタンド２０の空気清浄機能は、電気掃除機１を充電している時だけでなく、電気掃除機１を使用して清掃を行っているときに動作させてもよい。この場合、物を動かす動作等により床面から舞い上がる塵埃及び使用者の着衣の擦れ等により生じる浮遊塵をその場で吸引することで、室内空間を清浄化することができる。
【０１０２】
以上のように構成された電気掃除機システム１００の充電スタンド２０によれば、台座部２１に形成された吸引部であるスリット６３で、載置部２３の上面の塵埃を吸引することで、アジテータ清掃部５１によるアジテータ３０の絡みつき除去に伴い載置部２３に落下した塵埃を取り除くことができる。特に、吸込具６の長手方向の両端部分では吸込具６で塵埃を吸い込みにくい。アジテータ清掃部５１によるアジテータ３０の絡みつき除去において、電気掃除機１では吸い取れなかった塵埃をスリット６３で吸引することで、より衛生的に電気掃除機システム１００を使用することができる。
【０１０３】
このスリット６３による載置部２３上の塵埃の吸引は、例えば、充電状態の充電スタンド２０から電気掃除機１が取り外された後に行うようにしてもよい。特に、充電状態の充電スタンド２０から電気掃除機１が取り外された後に、空気清浄機能を例えば強運転させた後、弱運転に移行して部屋内の空気の清浄化を続けるようにしてもよい。
【０１０４】
また、スリット６３とは別に、部屋等の空間の空気を清浄するための吸引口を設けるようにしてもよい。そして、スリット６３から吸引する風路と、スリット６３とは別の吸引口から空気を吸引する風路とを切り替えることができるようにしてもよい。このようにすることで、風速を低下させることなく、用途に応じて吸引できる。
なお、他の構成については実施の形態１から実施の形態３のいずれかと同様であり、ここでは、その説明を省略する。
【０１０５】
以上のように構成された電気掃除機システム１００においても、実施の形態１から実施の形態３のいずれかと同様の効果を奏することができる。さらに、アジテータ清掃部５１によるアジテータ３０の絡みつき除去後に充電スタンド２０の載置部２３に残った塵埃をスリット６３で吸引することで、より衛生的に電気掃除機システム１００を使用することが可能である。
【０１０６】
実施の形態５．
図３２は、この発明の実施の形態５に係るもので、電気掃除機が備える吸込具の模式的断面図である。
【０１０７】
ここで説明する実施の形態５は、前述した実施の形態１から実施の形態４のいずれかの構成において、吸込具の内部に導電性を有する繊維体を設けるようにしたものである。以下、この実施の形態５に係る電気掃除機スタンド及び電気掃除機システムについて、実施の形態１の構成を元にした場合を例に挙げ、実施の形態１との相違点を中心に説明する。
【０１０８】
図３２に示すように、この実施の形態５に係る電気掃除機システム１００の電気掃除機１の吸込具６には、繊維部材６１が設けられている。繊維部材６１は、吸込具６の内部における吸込室４４から吸込口４７へと至る風路内壁６２に固定されている。繊維部材６１は、導電性を有する繊維体である。具体的に例えば、繊維部材６１を構成する繊維は、アクリル樹脂を含み、湿式紡糸により製造されている。繊維部材６１は、各々独立した１本ずつの繊維の集合体であっても、繊維を布状に織ったものであってもよい。
【０１０９】
繊維部材６１は、帯電すると静電気力により塵埃を吸着することができる。繊維部材６１は、帯電時にアジテータ３０の付着物に静電気力を及ぼし得る位置に固定されている。したがって、帯電した繊維部材６１により、アジテータ３０に付着した塵埃を絡みつく前に引き寄せて、アジテータ３０の絡みつきの発生を抑制することができる。
【０１１０】
繊維部材６１は、アジテータ３０の後方、すなわち、アジテータ３０よりも吸込口４７側に配置されている。このため、帯電した繊維部材６１により、アジテータ３０から引き寄せた塵埃を、そのまま速やかに吸込口４７へと吸い込ませることができる。また、繊維部材６１は、アジテータ３０から離間して配置されている。このため、繊維部材６１とアジテータ３０とが接触することがないので、繊維部材６１及びアジテータ３０の清掃体３３の双方を傷めることがない。
【０１１１】
アクリルを用いた湿式紡糸により製造された繊維は、ポリエステル又はポリアミド樹脂等を用いた溶融紡糸により製造された繊維に比べ、強い導電性を有している。このため、帯電した繊維部材６１の静電気力を高めることができ、強い吸着力を発揮することが可能である。
【０１１２】
繊維部材６１を、除電可能としてもよい。具体的に例えば、繊維部材６１に任意に接触させることができる導電体を備えるようにしてもよい。帯電して塵埃を吸着した繊維部材６１に導電体を接触させて除電することで、繊維部材６１から静電気力による吸着性能を失わせ、吸着されていた塵埃を繊維部材６１から容易に取り除くことができる。したがって、繊維部材６１を半永久的に使用することが可能である。
なお、他の構成については実施の形態１から実施の形態４のいずれかと同様であり、ここでは、その説明を省略する。
【０１１３】
以上のように構成された電気掃除機システム１００においても、実施の形態１から実施の形態４のいずれかと同様の効果を奏することができる。さらに、帯電した繊維部材６１により、アジテータ３０に付着した塵埃を絡みつく前に引き寄せることで、アジテータ３０の絡みつきの発生を抑制することができる。
【符号の説明】
【０１１４】
１    電気掃除機
２    掃除機本体
３    取っ手
４    吸込管
４ａ  接続口
５    延長管
６    吸込具
６ａ  接続部
７    操作スイッチ
８    収容ユニット
９    集塵ユニット
１０    排気口
１１    受電部
１２    排気風路
１３    電動送風機
１４    二次電池
１５    回路基板
２０    充電スタンド
２１    台座部
２２    支柱部
２３    載置部
２４    底上げ部
２５    給電部
２６    アーム部
２７    円周部
３０    アジテータ
３１    筒状基体
３２    清掃体保持部
３３    清掃体
３４    谷部
３５    軸受け
３６    アジテータ保持部
３７    隔壁
４１    下ケース
４２    上ケース
４３    底面開口
４４    吸込室
４５    モータが収納される部位
４７    吸込口
４８    車輪
５０    屋根部
５１    アジテータ清掃部
５２    収納溝
５３    刃
６０    延長管ホルダー
６１    繊維部材
６２    風路内壁
６３    スリット
１００    電気掃除機システム
【図１】
2018134330.tif 000003
【図２】
2018134330.tif 000004
【図３】
2018134330.tif 000005
【図４】
2018134330.tif 000006
【図５】
2018134330.tif 000007
【図６】
2018134330.tif 000008
【図７】
2018134330.tif 000009
【図８】
2018134330.tif 000010
【図９】
2018134330.tif 000011
【図１０】
2018134330.tif 000012
【図１１】
2018134330.tif 000013
【図１２】
2018134330.tif 000014
【図１３】
2018134330.tif 000015
【図１４】
2018134330.tif 000016
【図１５】
2018134330.tif 000017
【図１６】
2018134330.tif 000018
【図１７】
2018134330.tif 000019
【図１８】
2018134330.tif 000020
【図１９】
2018134330.tif 000021
【図２０】
2018134330.tif 000022
【図２１】
2018134330.tif 000023
【図２２】
2018134330.tif 000024
【図２３】
2018134330.tif 000025
【図２４】
2018134330.tif 000026
【図２５】
2018134330.tif 000027
【図２６】
2018134330.tif 000028
【図２７】
2018134330.tif 000029
【図２８】
2018134330.tif 000030
【図２９】
2018134330.tif 000031
【図３０】
2018134330.tif 000032
【図３１】
2018134330.tif 000033
【図３２】
2018134330.tif 000034